(57)【特許請求の範囲】
【請求項１】
二つのクリップを有する底殻部と、二つの前記クリップに対応する二つの通電差し込み口を有する上殻部とから構成されるコンセントであって、
外部の電源に接続するように前記底殻部に装着され、かつ、プラグが差し込まれていない状態下で前記クリップに接触しない二つの電源導電片と、
制御部を有し、前記制御部は二つの前記電源導電片の横に位置付けられ、かつプラグが差し込まれることで前記制御部がプラグに押され、二つの前記クリップの方向に沿って二つの前記電源導電片を湾曲させるように圧迫し、かつ二つの前記電源導電片を二つの前記クリップに接触させることにより、導電を行うことが可能である電源制御ユニットと、
二つの前記通電差し込み口を遮蔽し、かつ二つの前記通電差し込み口と分離することが可能なように前記底殻部に装着される二つの扉部と、
二つの前記扉部を二つの前記通電差し込み口を遮蔽する位置に維持するスプリングと、を備え、
前記電源制御ユニットは、片状のフック部を有し、前記扉部が二つの前記通電差し込み口を遮蔽する位置に維持されたとき、前記片状のフック部は前記扉部によって止められ、前記電源制御ユニットを移動させることができないことを特徴とするコンセント。
【請求項２】
前記電源制御ユニットは、さらに制御柱部とスプリングを有し、
前記制御柱部は一端が前記制御部に連結され、他端が前記上殻部に突出し、
前記スプリングは、プラグが差し込まれていない状態下で前記制御部を二つの前記クリップに接触させないことが可能であることを特徴とする請求項１に記載のコンセント。
【請求項３】
前記扉部は、前記片状のフック部と結合する溝部を有することを特徴とする請求項１に記載のコンセント。
【請求項４】
前記制御部は、前記クリップに接触する二つの斜面を有することを特徴とする請求項１に記載のコンセント。
【請求項５】
さらに、前記上殻部と結合する固定フレームを備えることを特徴とする請求項１に記載のコンセント。
【請求項６】
前記上殻部は、固定フレームの係止溝と結合する係止部を有することを特徴とする請求項５に記載のコンセント。
【請求項７】
係止部は、逸脱制御部を有し、前記逸脱制御部は押され、係止部と係止溝とを分離させることが可能であることを特徴とする請求項６に記載のコンセント。
【発明の詳細な説明】
【技術分野】
【０００１】
本発明は、コンセントに関し、特にコンセントのケースの中に電源制御ユニット、未導通のクリップ、電源導電片を配置することにより、プラグが差し込まれるとクリップ、電源導電片を導通させ、プラグが差し込まれていない場合に通電せず断電状態を維持し、安全効果を果たすことを可能にするコンセントに関するものである。そのうちの電源制御ユニットは扉部を有する。プラグが差し込まれると扉部を開くことが可能である。プラグが差し込まれていない場合、扉部は上殻部の通電差し込み口を遮断し、塵侵入防止と水浸入防止などの効果を果たすことが可能である。
【背景技術】
【０００２】
従来より、コンセントの大部分は、安全制御装置が付いておらず、電源との接続機能のみを提供する。言い換えれば、プラグを差し込まなくても通電状態を呈するため、児童は桿状の金属物を差し込んで感電を引き起こす恐れがある。また従来のコンセントは通電差し込み口が開放状態を呈するため、埃の侵入によって導電に影響を与え、水の浸入によって短絡、漏電などを引き起こすという問題がある。従って、従来のコンセントは安全保護効果が配慮されなかった。また従来のコンセントの一部分は、「電子回路板」によって使用際の通電と未使用際の断電を制御するが、「電子回路板」は価額が高いという問題があり、かつコンセントの体積を増大させてしまうため、壁中埋め込み型のコンセントには適用できず、特定の機械専用のコンセントのみに適用することができる。
【発明の開示】
【発明が解決しようとする課題】
【０００３】
本発明の主な目的は、通常状態下で外部の電源に導通せず、プラグを差し込むと電源に導通することを可能にするコンセントを提供することにある。
【課題を解決するための手段】
【０００４】
上述の目的を達成するために、本発明によるコンセントは、底殻部、上殻部および電源制御ユニットを備え、そのうち底殻部は二つのクリップと二つの電源導電片とを有し、上殻部は二つのクリップに対応する二つの通電差し込み口を有する。二つの電源導電片は外部の電源に接続され、かつ正常状態下でクリップに接触しない。電源制御ユニットは制御部を有し、制御部は二つの電源導電片の横に位置付けられ、かつ制御を受けて二つのクリップの方向に沿って二つの電源導電片を湾曲させるように圧迫し、かつ二つの電源導電片を二つのクリップに接触させることにより、導電を行うことが可能である。
【発明を実施するための最良の形態】
【０００５】
本発明の一実施形態によるコンセントは、図１から図８に示すように、底殻部１０、上殻部１５および電源制御ユニット２０を備から構成される。そのうち底殻部１０は、二つのクリップ１１、接地線クリップ１４および二つのクリップ１１に対応する電源固定片１３と電源導電片１２とを有する。プラグが差し込まれる前、電源導電片１２はクリップ１１に接触せず、クリップ１１は断電状態を呈する。上殻部１５は、二つの二つの通電差し込み口１６、接地線差し込み口１７および貫通孔１８を有する。電源制御ユニット２０は、制御柱部２４と制御部２５とを有し、制御柱部２４は上殻部１５の貫通孔１８を貫通して外部に突出する突出部２４１を有し、制御部２５は二つの電源導電片１２の間に位置付けられる。プラグが上殻部１５の通電差し込み口１６に差し込まれると、突出部２４１、制御柱部２４および制御部２５は下に押され、制御部２５は二つの電源導電片１２を二つのクリップ１１に接触させるように圧迫するため、電源導電片１２の電源をクリップ１１に導通させることが可能である。また電源制御ユニット２０は、底殻部１０に装着される固定座２１を有し、固定座２１は制御柱部２４を貫通させて装着するため穿孔２２を有し、制御柱部２４はスプリング２４２を有するため、制御柱部２４とその下端に装着される制御部２５は固定座２１の穿孔２２に沿って垂直に昇降することが可能である。また電源制御ユニット２０の固定座２１は、軸座２３を有し、軸座２３は二つの扉部２６と二つの軸心２７とを有する。二つの軸心２７の間は復元スプリング２８を有し、二つの扉部２６は溝部２６０を有する。制御柱部２４は上端に片状のフック部２４０を有する。プラグが上殻部１５の通電差し込み口１６に差し込まれていない場合、二つの扉部２６は通電差し込み口１６を遮蔽し、扉部２６の溝部２６０と制御柱部２４の片状のフック部２４０とは係合される。プラグが上殻部１５の通電差し込み口１６に差し込まれると、二つの扉部２６は開けられる。また上殻部１５は両端の係止部１９に逸脱制御部１９０を有し、二つの係止部１９の作動によって逸脱制御部１９０を押すことが可能である。
【０００６】
また、電源導電片１２、電源固定片１３、クリップ１１および接地線クリップ１４は、銅片によって導電することが可能である。電源制御ユニット２０の制御柱部２４、扉部２６、固定座２１および制御部２４は絶縁性のプラスチックから構成される。
図３に示すように、外部の電源の電源コードが電線固定片上の電源導電片１２に接続され、プラグ３０がまだ差し込まれていない時、突出部２４１、制御柱部２４、制御部２５は上昇状態を呈し、制御部２５はまだ電源導電片１２に突き当たっていないため、電源導電片１２はまだクリップ１１に接触せず、クリップ１１は無電状態を呈する。かつ二つの扉部２６は復元スプリング２８の弾力によって牽引されたため、上殻部１５の通電差し込み口１６を遮蔽する。
【０００７】
図４に示すように、プラグ３０のブレードがクリップ１１の中に差し込まれると、二つの扉部２６は開けられ、突出部２４１、制御柱部２４および制御部２５は下に押され、制御部２５は二つの電源導電片１２を二つのクリップ１２に接触させるように圧迫するため、クリップ１２によって通電効果を得ることが可能である。プラグ３０を引き抜くと、制御柱部２４と制御部２５とは、図３に示すようにスプリング２４２の弾力によって上昇し、クリップ１２を断電状態に復元させることが可能である。図５に示すように、悪戯で異物（釘、鉄線等）が差し込まれても、クリップ１１に接触することはできるが、制御柱部２４と制御部とを降下させることはできないため、電源導電片１２はまだクリップ１１に接続されず、クリップ１１はまだ無電状態を呈する。従って、感電危険を引き起こすことがない。
【０００８】
プラグ３０を差し込むことでなく、手で制御柱部２４の突出部２４１のみを押す場合、二つの扉部２６を開くにはプラグ３０のブレードを差し込むことが必要であるため、二つの扉部２６の溝部２６０と制御柱部２４の片状のフック部２４０とは係合される。図３に示すように、扉部２６は片状のフック部２４０と制御柱部２４とをけん制することが可能である。従って、突出部２４１を押しても、制御柱部２４と制御部２５を降下させ、二つの扉部２６を開けることはできない。
【０００９】
また、コンセントと固定フレーム３２とを組み立てるため、上殻部１５は両端に固定フレーム３２に嵌め込まれる二つの係止部１９を有する。従って、図７に示すように、コンセントを固定フレーム３２に固定することが可能である。コンセントを取り外す場合、図８に示すように、係止部１９と固定フレーム３２の係止溝３３とを分離させ、続いて上殻部１５の両端の逸脱制御部１９０を押すことにより、コンセントを取り外すことが可能である。言い換えれば、本発明のコンセントは従来のもののようにドライバーなどの工具に頼ることを必要とせず、手で逸脱制御部１９０を押すことのみによって取り外すことが可能であるため、取り外しの利便性、迅速性、簡単化を図ることが可能となる。
【００１０】
上述した説明により、プラグ３０がまだコンセントに差し込まれていない時、クリップ１１は無電で、誤って電気に接触することが発生しないため、安全効果を有する。扉部２６は通電差し込み口１６を遮蔽することが可能であるため、塵侵入防止と水浸入防止などの効果を有する。また本発明のコンセントは固定フレーム３２から容易に取り外すことが可能であるため、極めて良好な実用性を有し、効果を向上させることが可能となる。
【図面の簡単な説明】
【００１１】
【図１】本発明の一実施形態によるコンセントの分解図である。
【図２】本発明の一実施形態によるコンセントの一部分の分解図である。
【図３】本発明の一実施形態によるコンセントの断電の際の断面図である。
【図４】本発明の一実施形態によるコンセントにプラグを差し込んで通電する際の断面図である。
【図５】本発明の一実施形態によるコンセントに異物を差し込んで断電する状態を示す模式図である。
【図６】本発明の一実施形態によるコンセントと固定フレームとの分解を示す立体図である。
【図７】本発明の一実施形態によるコンセントと固定フレームとの組立後の断面図である。
【図８】本発明の一実施形態によるコンセントの逸脱制御部を押すことによって分離を行う状態を示す模式図である。
【符号の説明】
【００１２】
１０：底殻部、  １９０：逸脱制御部、  ２８：復元スプリング、  １１：クリップ、  ２０：電源制御ユニット、  ２４０：片状のフック部、  １２：電源導電片、  ２１：固定座、  ２４１：突出部、  １３：電源固定片、  ２２：穿孔、  ２４２：スプリング、  １４：接地線クリップ、  ２３：軸座、  ２６０：溝部、  １５：上殻部、  １６：通電差し込み口、  １７：接地線差し込み口、  １８：貫通孔、  １９：係止部、  ２４：制御柱部、  ２５：制御部、  ２６：扉部、  ２７：軸心、  ３０：プラグ、  ３１：異物、  ３２：固定フレーム、  ３３：係止溝
【図１】
0004654274.tif 000002
【図２】
0004654274.tif 000003
【図３】
0004654274.tif 000004
【図４】
0004654274.tif 000005
【図５】
0004654274.tif 000006
【図６】
0004654274.tif 000007
【図７】
0004654274.tif 000008
【図８】
0004654274.tif 000009